(57)【要約】【課題】転写ローラとクリーニング部材に接続する回路構成を簡素化でき、高圧基板のサイズを小さくできる画像形成装置を提供すること。【解決手段】本画像形成装置１は、転写ローラ３４及びクリーニングローラ３５へのバイアス電圧の印加を制御するプリントコントローラ８０を備え、プリントコントローラ８０は、同一のEnable信号により転写ローラ３４及びクリーニングローラ３５へのバイアス電圧の印加を制御するものである。【選択図】      図２
2007057562.tif 000002
【特許請求の範囲】
【請求項１】
感光体ドラムと、搬送される記録用紙を前記感光体ドラムとともにニップする転写ローラと、前記感光体を一定電圧に帯電させる帯電装置と、前記転写ローラより前記感光体ドラム回転方向下流側において前記転写ローラと前記帯電装置との間に配設されたクリーニング部材と、を具備する画像形成装置であって、
前記転写ローラ及びクリーニング部材へのバイアス電圧の印加を制御する制御手段を備え、
該制御手段は、同一のEnable信号により前記転写ローラ及びクリーニング部材へのバイアス電圧の印加を制御することを特徴とする画像形成装置。
【請求項２】
前記制御手段は、転写ローラ及びクリーニング部材に印加するバイアス電圧と前記感光体ドラムとの電位差を制御することにより前記転写ローラ及びクリーニング部材のクリーニングを行うことを特徴とする請求項１記載の画像形成装置。
【請求項３】
前記制御手段は、１つのEnable信号のオン／オフのみにより前記転写ローラ及びクリーニング部材のクリーニングを行うことを特徴とする請求項１又は２記載の画像形成装置。
【請求項４】
前記制御手段は、前記クリーニングが前記転写ローラの全周及びクリーニング部材の全周又は全幅にわたって行われるのに要する時間以上クリーニングを行うことを特徴とする請求項１乃至３のいずれかに記載の画像形成装置。
【発明の詳細な説明】
【技術分野】
【０００１】
本発明は、記録用紙に文字や図形等の画像を形成する複写機、プリンタ、ファクシミリ、デジタル複合機等に用いられる画像形成装置に関し、詳しくは、転写ローラとクリーニング部材に用いる回路構成を簡素化できる画像形成装置に関する。
【背景技術】
【０００２】
複写機、プリンタ、ファクシミリ、コピー機能・プリント機能・ＦＡＸ通信機能・スキャン機能等の複数の機能を兼ね備えたデジタル複合機などに用いられる画像形成装置は、一様に帯電させた電子写真感光体に画像情報に応じて選択的な露光をして潜像を形成し、形成された静電潜像を現像装置で現像してトナー像を形成し、このトナー像を記録用紙（記録シート）に転写することにより画像記録を行う。その後、この記録用紙に転写された未定着のトナー像は、定着装置で永久画像として記録用紙上に定着され、そのトナー像が定着された記録用紙は、定着装置に設けられた圧接ローラにより搬送路から排紙路へと搬送されて排紙路の端部に設けられた排紙ローラにより排紙トレイへと排出される。
【０００３】
転写工程を詳述すると、電子写真感光体である感光体ドラムが帯電装置により一定電圧に帯電され、帯電された感光体ドラムの表面は、露光装置であるＬＥＤヘッドにより露光されることにより表面電位が減衰し、露光されていない部分との電位差により静電潜像が形成される。この静電潜像に基づいて現像装置によりトナー画像が感光体ドラムの表面に形成され、供給された記録用紙を感光体ドラムと転写バイアスが印加された転写ローラとによりニップして転写バイアスが印加されることにより、感光体ドラムの表面に形成されたトナー画像が記録用紙Ｐへ転写される。
【０００４】
このように、転写工程において感光体ドラムの表面に形成されたトナー画像は、記録用紙に転写されるが、一部のトナーが転写されずに感光体ドラム上に残留することがある。この残留トナーを現像装置によって回収する、いわゆるクリーナレスシステムの画像形成装置が知られている。このようなクリーナレスシステムの画像形成装置において、転写後に残留トナーが大量に発生した場合には、該残留トナーを現像装置によって回収しきれずに、次に感光体ドラム上に形成されたトナー画像に対して残留トナーが悪影響を及ぼして記録用紙に画像不良を生じさせることがある。そのため、クリーナレスシステムの画像形成装置においては、転写ローラより感光体ドラムの回転方向下流側に導電性の弾性体からなるクリーニングローラやクリーニングブラシ等のクリーニング部材を感光体ドラムに接触するように設けている。記録用紙へのトナー転写時には、クリーニング部材にトナーと逆極性で感光体ドラム１０６の表面電位よりも絶対値で大きいバイアス電圧を印加して感光体ドラム上に残留する残留トナーを一時的に回収し、記録用紙へトナーを転写しない時には、クリーニング部材にトナーと同極性のバイアス電圧を印加してクリーニング部材に一時的に回収されているトナーを感光体ドラム上に移動させて、その感光体ドラム上に戻されたトナーを現像装置によって回収するようにしている（例えば、特許文献１参照）。
【０００５】
ところで、従来のクリーナレスシステムの画像形成装置においては、図６に示すように、転写ローラ１０１は転写ローラ用電源１０２に接続され、クリーニング部材１０３はクリーニング部材用電源１０４に接続されており、それら転写ローラ用電源１０２及びクリーニング部材用電源１０４は、それぞれ別個にプリンタコントローラ１０５の制御による制御信号、いわゆるEnable信号により制御されてバイアス電圧をそれぞれ転写ローラ１０１及びクリーニング部材１０３に印加するようになされている。また、転写ローラ１０１は、トナー転写時には、トナーと逆極性で感光体ドラム１０６の表面電位よりも絶対値で大きいバイアス電圧を転写ローラ用電源１０２により印加される。一方、記録用紙へトナー転写しない時には、転写ローラ１０１上に付着したトナーがあった場合に該トナーが後に搬送される記録用紙に付着しないように、転写ローラ１０１は、感光体ドラム１０６にトナーを移動させるようにトナーと同極性のバイアス電圧を印加されてクリーニングされている。
【特許文献１】特開２００１−２１４９９４号公報
【発明の開示】
【発明が解決しようとする課題】
【０００６】
しかしながら、従来のクリーナレスシステムの画像形成装置においては、転写ローラ用電源１０２及びクリーニング部材用電源１０４をそれぞれ別個の信号線によりプリンタコントローラ１０５と接続されており、プリンタコントローラ１０５は、クリーニングシーケンスにおいてそれら転写ローラ用電源１０２及びクリーニング部材用電源１０４にそれぞれ別個のEnable信号を送って制御していた。そのため、スイッチング回路やトランス等がそれぞれに設置されて転写ローラ１０１とクリーニング部材に接続する回路構成が複雑なものとなり、高圧基板のサイズも大きくなるという問題点があった。
【０００７】
本発明は、上記課題に鑑みてなされたものであり、転写ローラとクリーニング部材に接続する回路構成を簡素化でき、高圧基板のサイズを小さくできる画像形成装置を提供することを目的とする。
【課題を解決するための手段】
【０００８】
上記目的を達成するために、請求項１記載の画像形成装置は、感光体ドラムと、搬送される記録用紙を前記感光体ドラムとともにニップする転写ローラと、前記感光体を一定電圧に帯電させる帯電装置と、前記転写ローラより前記感光体ドラム回転方向下流側において前記転写ローラと前記帯電装置との間に配設されたクリーニング部材と、を具備する画像形成装置であって、前記転写ローラ及びクリーニング部材へのバイアス電圧の印加を制御する制御手段を備え、該制御手段は、同一のEnable信号により前記転写ローラ及びクリーニング部材へのバイアス電圧の印加を制御することを特徴としている。
【０００９】
請求項２記載の画像形成装置は、請求項１記載の画像形成装置において、前記制御手段は、転写ローラ及びクリーニング部材に印加するバイアス電圧と前記感光体ドラムとの電位差を制御することにより転写ローラ及びクリーニング部材のクリーニングを行うことを特徴としている。
【００１０】
請求項３記載の画像形成装置は、請求項１又は２記載の画像形成装置において、前記制御手段は、一つのEnable信号のオン／オフのみにより前記クリーニングを行うことを特徴としている。
【００１１】
請求項４記載の画像形成装置は、請求項１乃至３のいずれかに記載の画像形成装置において、前記制御手段は、前記クリーニングが前記転写ローラの全周及びクリーニング部材の全周又は全幅にわたって行われるのに要する時間以上クリーニングを行うことを特徴としている。
【発明の効果】
【００１２】
本発明の請求項１の画像形成装置によれば、同一のEnable信号により転写ローラ及びクリーニング部材へのバイアス電圧の印加を制御するため、信号線を１本減らすことができるとともにトランス等の回路を簡素化できる。また、高圧基板も小サイズ化することができ、コストダウンすることができる。
【００１３】
請求項２の画像形成装置によれば、請求項１記載の画像形成装置の効果に加えて、転写ローラ及びクリーニング部材に印加するバイアス電圧と感光体ドラムとの電位差を制御することにより転写ローラ及びクリーニング部材のクリーニングを行うため、転写ローラ及びクリーニング部材のクリーニングを簡素な回路において行うことができる。
【００１４】
請求項３の画像形成装置によれば、請求項１又は２記載の画像形成装置の効果に加えて、一つのEnable信号のオン／オフのみにより転写ローラ及びクリーニング部材のクリーニングを行うため、複雑な回路を必要とせずに転写ローラ及びクリーニング部材のクリーニングを行うことができる。
【００１５】
請求項４の画像形成装置によれば、請求項１乃至３のいずれかに記載の画像形成装置の効果に加えて、クリーニングが転写ローラの全周及びクリーニング部材の全周又は全幅にわたって行われるのに要する時間以上クリーニングを行うため、転写ローラ及びクリーニング部材の全体をクリーニングでき、記録用紙への画像不良の発生を防止できる。
【発明を実施するための最良の形態】
【００１６】
以下、本発明の実施の形態に係る画像形成装置の構成について図面に基づき説明する。
本発明の実施の形態に係るクリーナレスシステムの画像形成装置１（以下、装置本体１ともいう。）は、図１に示すように、装置本体１の底部に記録用紙Ｐを順次供給する給紙カセット２が配設されており、その給紙カセット２の上方に画像形成部３が配設され、その側方に定着装置４が配設され、その上方の装置本体１外に排紙トレイ５が配設されている。給紙カセット２から記録用紙Ｐを搬送するための搬送路６は、給紙カセット２の一端側から上方へ向かって延設されて画像形成部３に至り、側方へ延設されて定着装置４に至り、その後上方へ湾曲して、排紙トレイ５へ通じるように形成された排紙路７に連結されている。なお、図には示していないが、例えば、本画像形成装置１がデジタル複合機として用いられる場合には、排紙トレイ５の上方に、フラットベッドスキャナとして機能する画像読取部、及び画像読取りや記録の開始等を入力するための操作パネルが配設される。
【００１７】
画像形成部３は、図１に示すように、感光体ドラム３０の周囲に配設された帯電装置３１、ＬＥＤヘッド３２、現像装置３３、転写ローラ３４、及びクリーニングローラ３５とから構成されている。これらのうち、感光体ドラム３０、帯電装置３１、現像装置３３、及びクリーニングローラ３５は、プロセスユニットとしてカートリッジに収容されて一体となっており、トナー切れやメンテナンスの際に画像形成装置１から容易に着脱できるようになっている。
【００１８】
感光体ドラム３０は、表面に有機感光体による光導電膜が形成され、図外のモータにより所定速度で回転するものであり、帯電装置３１により一定電圧に帯電される。帯電装置３１は、所謂スコロトロン帯電器と呼ばれる非接触のコロナ帯電方式のものであり、図には詳細に示していないが、半空間を形成するケーシング電極の略中心に放電ワイヤが配設されるとともに、感光体ドラム３０側にグリッド電極が配設されてなり、その放電ワイヤに所定の電圧が印加されることによりコロナ放電が生じ、そのコロナ放電によるイオン量をグリッド電極で制御するものである。なお、帯電装置３１には、非接触のコロナ帯電方式に代えて接触型のローラ帯電方式等、他の帯電装置を採用してもよい。
【００１９】
ＬＥＤヘッド３２は、ＬＥＤアレイを記録画素数だけ並設し、そのＬＥＤアレイが発した光をセルフォックレンズアレイで感光体ドラム３０の表面に結像する、いわゆる自己発光型のプリンタヘッドであり、感光体ドラム３０に対して画像情報に基づいて感光体ドラム３０の表面を選択的に露光して、その表面に静電潜像を形成するものである。帯電装置３１により帯電された感光体ドラム３０の表面は、ＬＥＤヘッド３２により露光されることにより表面電位が減衰し、露光されていない部分との電位差により静電潜像が形成される。また、画像情報は、例えばフラットベッドスキャナとして機能する図外の読取載置台が読み取った原稿の画像が電気信号としてＬＥＤヘッド３２に送信されるようになっている。なお、露光装置としては、ＬＥＤヘッド３２の他に半導体レーザを用いた走査光学系のものを採用してもよい。
【００２０】
現像装置３３は、供給ローラ３６と、現像ローラ３７と、トナー容器３８とを具備してなり、不図示の電気回路から供給ローラ３６及び現像ローラ３７の各々に印加されるバイアス電圧の差によりトナー容器３８のトナーＴが正に摩擦帯電されるとともに供給ローラ３６を経て現像ローラ３７へ供給され、現像ローラ３７の表面にトナー層が形成される。トナー層が形成された現像ローラ３７が感光体ドラム３０に近接した位置で回転され、感光体ドラム３０の静電潜像との電位差により現像ローラ３７上のトナーＴが感光体ドラム３０へ移動し、この静電潜像に基づいてトナー画像が感光体ドラム３０の表面に形成される。また、本画像形成装置１は、クリーナレスシステムであり、トナー非転写時において、感光体ドラム３０上のトナーＴは、現像装置３３により回収される。なお、このような現像装置３３は一例であり、磁性トナー又は非磁性トナーの選択や、接触現像法又は非接触現像法の選択等は任意である。また、トナーＴは、正に摩擦帯電されるものとしたが、負に帯電されるものとし、システム全体も逆極性のシステムとしてもよい。
【００２１】
転写ローラ３４は、図２に示すように、シャフトと、カーボン導電材又はイオン導電材を用いた発泡体とからなるローラであって、搬送路６の対向位置において感光体ドラム３０に圧接されており、プリンタコントローラ８０により制御される転写ローラ用電源８１からシャフトにバイアス電圧が印加されるようになっている。給紙カセット２から搬送路６を経て供給された記録用紙Ｐを感光体ドラム３０及び転写ローラ３４がニップして転写バイアスが印加されることにより、感光体ドラム３０の表面に形成されたトナー画像が記録用紙Ｐへ転写される。
【００２２】
クリーニングローラ３５は、図２に示すように、転写ローラ３４より感光体ドラム３０の回転方向下流において感光体ドラム３０に圧接されたローラであり、プリンタコントローラ８０により制御されるクリーニング部材用電源８２からバイアス電圧が印加されることにより、感光体ドラム３０の表面に残留したトナーＴを一時的に回収したり、感光体ドラム３０の表面に残留した紙粉を除去するとともに静電潜像を消去するものである。これにより、感光体ドラム３０の表面が清掃されて連続使用が可能となる。また、図示していないが、クリーニングローラ３５に付着した紙粉等を除去する装置を備えている。なお、クリーニング部材として、クリーニングローラ３５の代わりにクリーニングブラシ等による他の接触型の方式を採用してもよい。
【００２３】
転写ローラ３４とクリーニングローラ３５は、同一径を有しており、転写ローラ３４の直径φＤ１とクリーニングローラ３５の直径φＤ２は、図３に示すように、等しいものである。さらに、転写ローラ３４と感光体ドラム３０のニップ部とクリーニングローラ３５と感光体ドラム３０のニップ部の感光体ドラム３０上の距離Ｌは、転写ローラ３４の円周及びクリーニングローラ３５の円周と等しいものであり、次式が成り立つ関係にある。
（数１）
φＤ１＊π＝φＤ２＊π＝Ｌ
【００２４】
また、転写ローラ用電源８１とクリーニング部材用電源８２は、図２に示すように、１本の信号線によりプリンタコントローラ８０と接続されており、プリンタコントローラ８０は、同一のEnable信号により転写ローラ用電源８１とクリーニング部材用電源８２を制御して転写ローラ３４とクリーニングローラ３５に印加されるバイアス電圧を制御できるようになされている。このように、プリンタコントローラ８０から転写ローラ用電源８１とクリーニング部材用電源８２に信号を送る信号線を１本にしているため、回路を簡素化でき、高圧基板も小サイズ化できる。このように構成された画像形成部３により、図外のフラットベッドスキャナで読み取られた原稿の画像データに基づくトナー画像が記録用紙Ｐ上に転写されるようになっている。
【００２５】
定着装置４は、図１に示すように、感光体ドラム３０の下流側の搬送路６に配設されており、その搬送路６の対向位置にそれぞれ配設されたヒートローラ４０及び圧接ローラ４１と、ヒートローラ４０を内部に配設した耐熱性を有する定着ケーシング４２とを具備してなり、搬送路６を搬送された記録用紙Ｐ上のトナー画像を加熱及び加圧して融着するものである。ヒートローラ４０の表面はハロゲンランプ４３により所定の温度に維持されており、ヒートローラ４０は、トナー画像が転写された記録用紙Ｐに加熱してそのトナー画像を溶融する。また、このヒートローラ４０にＥＰＤＭ発泡体等からなる圧接ローラ４１が所定の圧力で圧接されており、双方が回転自在に配設されている。トナー画像が転写された記録用紙Ｐがヒートローラ４０と圧接ローラ４１とにニップされることにより、記録用紙Ｐ上のトナーが溶融されて記録用紙Ｐに定着される。
【００２６】
搬送路６は、図１に示すように、給紙カセット２から画像形成部３へ略上方に向かって延設されており、その途中に、記録用紙Ｐの搬送姿勢を調整するための一対のレジストローラ６０が設けられており、該レジストローラ６０から湾曲しながら略水平方向へ延設されている。レジストローラ６０は、感光ドラム３０へのトナー像の形成と同期して駆動回転する。排紙路７は、図１に示すように、搬送路６との合流部から湾曲しながら略垂直上方へ向かって延設されており、排紙路７の排紙トレイ５側の端部には、排紙ローラ７０が配設されている。
【００２７】
以上のように構成された画像形成装置１において、トナー非転写時の感光体ドラム３０の回転中に行われる転写ローラ３４とクリーニングローラ３５のクリーニングシーケンスについて説明する。
クリーニング開始時の初期状態においては、図５（ａ）に示すように、転写ローラ３４とクリーニングローラ３５にトナーＴが付着している。図４は、転写ローラ３４とクリーニングローラ３５のクリーニングシーケンスを示すタイムチャートである。プリンタコントローラ８０は、転写ローラ用電源８１とクリーニング部材用電源８２に同一のEnable信号を送ることにより、図示するように、正極性かつ同一大きさのバイアス電圧を転写ローラ３４とクリーニングローラ３５に△ｔ時間印加して、感光体ドラム３０との電位差を発生させる。ここで、この△ｔ時間は、転写ローラ３４が１回転するのに要する時間と同じであり、△ｔ時間と、このクリーニングシーケンスにおけるプロセススピードＶと、前記転写ローラ３４と感光体ドラム３０のニップ部とクリーニングローラ３５と感光体ドラム３０のニップ部の感光体ドラム３０上の距離Ｌとは以下の関係が成立する。
（数２）
△ｔ＊Ｖ＝Ｌ＝φＤ１＊π＝φＤ２＊π
【００２８】
すなわち、△ｔ時間経過後、図５（ｂ）に示すように、転写ローラ３４及びクリーニングローラ３５と感光体ドラム３０との電位差により、転写ローラ３４上のトナーＴとクリーニングローラ３５上のトナーＴが感光体ドラム３０上に移動する。これにより、転写ローラ３４とクリーニングローラ３５は、クリーニングされる。
【００２９】
次いで、プリントコントローラ８０は、転写ローラ用電源８１とクリーニング部材用電源８２に同一のEnable信号を送ることにより、図４に示すように負極性で同一大きさのバイアス電圧を転写ローラ３４とクリーニングローラ３５に△ｔ時間印加する。クリーニング開始から△ｔ＊２時間後は、図５（ｃ）に示すように、感光体ドラム３０上の転写ローラ３４の円周分のトナーＴがクリーニングローラ３５上に移動する。
【００３０】
そして、プリントコントローラ８０は、再度、転写ローラ用電源８１とクリーニング部材用電源８２に同一のEnable信号を送ることにより、正極性かつ同一大きさのバイアス電圧を転写ローラ３４とクリーニングローラ３５に△ｔ時間印加する。クリーニング開始から△ｔ＊３時間後は、図５（ｄ）に示すように、クリーニングローラ３５上のトナーＴが感光体ドラム３０上に移動する。これにより、クリーニングローラ３５は、再度クリーニングされ、クリーニングローラ３５から感光体ドラム３０上に移動したトナーＴは、現像装置３３によって回収される。
【００３１】
このように、転写ローラ３４とクリーニングローラ３５は、クリーニングされるが、これを繰り返すことにより、感光体ドラム３０上に残留したトナーＴを完全に回収することができる。すなわち、クリーニングシーケンスに要するトータルクリーニング時間Ｔは、予め設定されており、該トータルクリーニング時間Ｔは、次式で表される。
（数３）
Ｔ≧（φＤ１＊π／Ｖ）＊（２ｎ＋１）＝△ｔ＊（２ｎ＋１）
Ｔ≧（φＤ２＊π／Ｖ）＊（２ｎ＋１）＝△ｔ＊（２ｎ＋１）
ｎ＝０，１，２，．．．
【００３２】
これは、プリントコントローラ８０は、少なくとも転写ローラ３４の全周分のトナーＴ又はクリーニングローラ３５の全周分のトナーＴが感光体ドラム３０上に移動するまでの時間（△ｔ）以上クリーニングを行うことを示しており、また、感光体ドラム３０上にトナーＴが移動した状態でクリーニングシーケンスを終了することを示している。この△ｔ時間は、クリーニングが転写ローラ３４の全周及びクリーニングローラ３５の全周にわたって行われるのに要する時間であり、すなわち、１回のクリーニングシーケンスにより、転写ローラ３４及びクリーニングローラ３５の全周をクリーニングでき、記録用紙Ｐへの画像不良の発生を防止できる。
【００３３】
トータルクリーニング時間Ｔ経過時において、プリントコントローラ８０は、Enable信号をオフにしてクリーニングシーケンスを終了する。このように、１つのEnable信号のオン／オフのみにより転写ローラ３４及びクリーニングローラ３５のクリーニングを行うため、複雑な回路を必要とせずに転写ローラ３４及びクリーニングローラ３５のクリーニングを行うことができる。
【００３４】
例えば、トータルクリーニング時間Ｔが△ｔ＊４時間の場合、△ｔ＊３時間後は、図５（ｃ）に示すように、クリーニングローラ３５にトナーＴが移動し、△ｔ＊４時間後は、図５（ｄ）に示すように、感光体ドラム３０上にトナーＴが移動する。クリーニングローラ３５から感光体ドラム３０上に移動したトナーＴは、現像装置３３によって回収され、プリントコントローラ８０は、Enable信号をオフにしてクリーニングシーケンスを終了する。このように、１つのEnable信号のオン／オフのみにより転写ローラ３４及びクリーニングローラ３５のクリーニングを行うため、複雑な回路を必要とせずに転写ローラ３４及びクリーニングローラ３５のクリーニングを行うことができる。
【００３５】
以上の説明から明らかなように、本発明の実施の形態に係る画像形成装置１においては、同一のEnable信号により転写ローラ３４及びクリーニングローラ３５へのバイアス電圧の印加を制御するため、信号線を１本減らすことができるとともにトランス等の回路を簡素化でき、高圧基板も小サイズ化することができ、コストダウンすることができる。
【００３６】
また、転写ローラ３４及びクリーニングローラ３５に印加するバイアス電圧と感光体ドラム３０との電位差を制御することにより転写ローラ３４及びクリーニングローラ３５のクリーニングを行うため、転写ローラ及びクリーニング部材のクリーニングを簡素な回路において行うことができる。
【００３７】
また、１つのEnable信号のオン／オフのみにより転写ローラ３４及びクリーニングローラ３５のクリーニングを行うため、複雑な回路を必要とせずに転写ローラ３４及びクリーニングローラ３５のクリーニングを行うことができる。
【００３８】
さらに、クリーニングが転写ローラ３４の全周及びクリーニングローラ３５の全周にわたって行われるのに要する時間以上クリーニングを行うため、転写ローラ３４及びクリーニングローラ３５の全体をクリーニングでき、記録用紙Ｐへの画像不良の発生を防止できる。
【００３９】
なお、本発明は上記実施の形態に限定されるものではなく、本発明の要旨の範囲内で種々の変形実施が可能である。例えば、クリーニング部材としてクリーニングローラ３５を用いたが、クリーニングブラシであってもよく、この場合、クリーニングがクリーニングブラシの全幅にわたって行われるのに要する時間以上クリーニングを行うものとする。また、クリーニングシーケンスにおいて、正極性のバイアス電圧を印加した後に、負極性のバイアス電圧を印加して感光体ドラム３０との電位差を生じさせたが、正極性のバイアス電圧を印加した後にバイアス電圧の印加をオフにすることにより感光体ドラム３０との電位差を生じさせてもよい。
【産業上の利用可能性】
【００４０】
本発明は、複写機、プリンタ、ファクシミリ、デジタル複合機等に用いられる画像形成装置に適用可能である。
【図面の簡単な説明】
【００４１】
【図１】本発明の実施の形態に係る画像形成装置の構成例を示した概略断面図である。
【図２】図１の画像形成装置の要部断面、プリンタコントローラ、転写ローラ用電源、及びクリーニング部材用電源の構成の概略を示す図である。
【図３】感光体ドラム、転写ローラ、及びクリーニングローラの関係を示す断面模式図である。
【図４】クリーニングシーケンスを示すタイムチャートである。
【図５】△ｔ時間毎の残留トナーの位置を示した模式断面図である。
【図６】従来の画像形成装置の要部断面、プリンタコントローラ、転写ローラ用電源、及びクリーニング部材用電源の構成の概略を示す図である。
【符号の説明】
【００４２】
１    画像形成装置
３０    感光体ドラム
３１    帯電装置
３４    転写ローラ
３５    クリーニングローラ（クリーニング部材）
８０    プリンタコントローラ（制御手段）
Ｐ    記録用紙
【図１】
2007057562.tif 000003
【図２】
2007057562.tif 000004
【図３】
2007057562.tif 000005
【図４】
2007057562.tif 000006
【図５】
2007057562.tif 000007
【図６】
2007057562.tif 000008